(57)【特許請求の範囲】
【請求項１】
家庭用薄葉紙が積層された薄葉紙積層体を内側の収納空間部に収納する容器本体を備える家庭用薄葉紙収納容器であって、
前記容器本体の上面部には、前記収納空間部から前記家庭用薄葉紙を取り出す取出口が形成されるとともに、前記取出口の周縁部から前記収納空間部に向かって突出した突出部が形成され、
前記容器本体の底部には、前記薄葉紙積層体を上向きに付勢する付勢部材が備えられ、
前記付勢部材は、上向きに付勢力を有する伸縮可能な空気溜めと、一端が底部に固着され、他端が空気溜めの先端に固着された板状部材と、を備え、
前記付勢部材により上向きに付勢された前記薄葉紙積層体により前記突出部が押圧された場合でも、前記薄葉紙積層体と前記取出口との距離が所定の間隔に保たれていることを特徴とする家庭用薄葉紙収納容器。
【請求項２】
前記付勢部材は、
前記薄葉紙積層体の対向する両端部を上向きに付勢することを特徴とする請求項１に記載の家庭用薄葉紙収納容器。
【請求項３】
前記付勢部材は、
前記突出部と対向する位置に備えられることを特徴とする請求項１又は２に記載の家庭用薄葉紙収納容器。
【発明の詳細な説明】
【技術分野】
【０００１】
本発明は、家庭用薄葉紙を収納する家庭用薄葉紙収納容器に関する。
【背景技術】
【０００２】
従来、ティシューやウェットティシューなどの家庭用薄葉紙が積層された薄葉紙積層体を内部に収納する家庭用薄葉紙収納容器が知られている。一般に、このような家庭用薄葉紙収納容器は、上面に家庭用薄葉紙の取出口を備え、家庭用薄葉紙は、使用される際に取出口から一枚ずつ引き出されるようになっている。
【０００３】
上記の家庭用薄葉紙収納容器では、家庭用薄葉紙の残量が少なくなった場合に取出口と次の家庭用薄葉紙との間の距離が長くなるため、家庭用薄葉紙を取出口から取り出した際に次の家庭用薄葉紙の先端部が取出口から内部に落ち込む等、取り出し時に不具合が発生することがあった。
【０００４】
そこで、取出口からの取り出し易さを向上させたものとして、例えば、容器本体の底部に薄葉紙積層体の中央部を上方側に向けて付勢する部材を設けるとともに、容器本体の上部に薄葉紙積層体の両端部を下方側に向けて付勢する部材を設けることで、家庭用薄葉紙の残量が少なくなった場合でも家庭用薄葉紙を取出口付近に保持させる技術が開示されている（特許文献１参照）。
また、容器本体の側面部及び底部に家庭用薄葉紙を取出口側に向けて付勢する部材を設けることで、家庭用薄葉紙の残量が少なくなった場合でも家庭用薄葉紙を取出口付近に保持させる技術が開示されている（特許文献２参照）。
【先行技術文献】
【特許文献】
【０００５】
【特許文献１】特開２０１１−１１８０５号公報
【特許文献２】特開２０１１−１６５７５号公報
【発明の概要】
【発明が解決しようとする課題】
【０００６】
しかしながら、上記特許文献１及び特許文献２記載の技術は、いずれも薄葉紙積層体の中央部を上方側（取出口側）に向けて付勢するものであり、薄葉紙積層体の中央部が付勢された結果、薄葉紙積層体の家庭用薄葉紙の枚数が比較的多い場合には、取出口と次の家庭用薄葉紙との間の距離が短くなりすぎるため、家庭用薄葉紙を取り出す際に複数枚の家庭用薄葉紙を摘まみ易い状況が生じてしまい、家庭用薄葉紙を１枚ずつ取り出すことが困難であった。
【０００７】
本発明は、薄葉紙積層体の家庭用薄葉紙の枚数に関係なく、取出口からの取り出し易さを一定に保つことができる家庭用薄葉紙収納容器を提供することを目的とする。
【課題を解決するための手段】
【０００９】
請求項１に記載の発明は、家庭用薄葉紙が積層された薄葉紙積層体を内側の収納空間部に収納する容器本体を備える家庭用薄葉紙収納容器であって、
前記容器本体の上面部には、前記収納空間部から前記家庭用薄葉紙を取り出す取出口が形成されるとともに、前記取出口の周縁部から前記収納空間部に向かって突出した突出部が形成され、
前記容器本体の底部には、前記薄葉紙積層体を上向きに付勢する付勢部材が備えられ、
前記付勢部材は、上向きに付勢力を有する伸縮可能な空気溜めと、一端が底部に固着され、他端が空気溜めの先端に固着された板状部材と、を備え、
前記付勢部材により上向きに付勢された前記薄葉紙積層体により前記突出部が押圧された場合でも、前記薄葉紙積層体と前記取出口との距離が所定の間隔に保たれていることを特徴とする。
請求項２に記載の発明は、請求項１に記載の家庭用薄葉紙収納容器において、前記付勢部材は、
前記薄葉紙積層体の対向する両端部を上向きに付勢することを特徴とする。
【００１１】
請求項３に記載の発明は、請求項１又は２に記載の家庭用薄葉紙収納容器において、前記付勢部材は、
前記突出部と対向する位置に備えられることを特徴とする。
【発明の効果】
【００１２】
本発明によれば、家庭用薄葉紙の残量に関係なく、取出口と、収納空間部内の一番上の家庭用薄葉紙との距離を一定にすることができるため、家庭用薄葉紙が取出口から内部に落ち込むことがなく、家庭用薄葉紙を容易に１枚ずつ取り出すことができることとなって、薄葉紙積層体の家庭用薄葉紙の枚数に関係なく、取出口からの取り出し易さを一定に保つことができる。
【図面の簡単な説明】
【００１３】
【図１】本発明の家庭用薄葉紙収納容器を示す斜視図である。
【図２】図１の家庭用薄葉紙収納容器のＩＩ−ＩＩ線における断面図である。
【図３】容器本体の底部に設けられた付勢部材が下方に撓んでいる様子について示した図である。
【図４】収納空間部に収納された家庭用薄葉紙の残量が少なくなった場合の一例について示した図である。
【図５】図４に示した家庭用薄葉紙収納容器の付勢部材の一変形例について示した図である。
【発明を実施するための形態】
【００１４】
以下、本発明の実施の形態を図面に基づいて説明する。ただし、発明の範囲は、図示例に限定されない。
【００１５】
まず、構成について説明する。
本実施形態に係る家庭用薄葉紙収納容器１００は、図１，２に示すように、例えば、ティシューやウェットティシュー等の家庭用薄葉紙Ｐが積層された薄葉紙積層体２００を内側の収納空間部４０に収納する容器本体１を備えている。
【００１６】
ここで、薄葉紙積層体２００は、例えば、複数枚の家庭用薄葉紙Ｐが積層された詰替え用の薄葉紙積層体であって、容器本体１に形成された取出口１１から家庭用薄葉紙Ｐを継続して取り出せるように交互に折り重ねられた状態で積層されている。即ち、家庭用薄葉紙Ｐを取出口１１から容器本体１の外側へ引き出したときに、次の家庭用薄葉紙Ｐの上端が取出口１１よりも突出する位置まで収納空間部４０から引き出されるようになっている。
なお、薄葉紙積層体２００を、包装体により内包することとしても良い。特に、家庭用薄葉紙Ｐがウェットティシューである場合には、薄葉紙積層体２００を防湿性の包装体により内包することが好ましい。
【００１７】
容器本体１は、例えば、ＰＰ（ポリプロピレン）、ＡＢＳ等の熱可塑性樹脂を射出成形することにより製造される。
容器本体１は、当該容器本体１の上面を構成する上面部１０と、当該容器本体１の側面を構成する側面部２０ａ〜２０ｄと、を備え、上面部１０及び側面部２０ａ〜２０ｄにて囲まれた空間が、薄葉紙積層体２００を収納する収納空間部４０となっている。
また、容器本体１の底部３０は、容器本体１に着脱自在に取り付けられる底蓋として機能するようになっている。即ち、容器本体１から底部３０を取り外すことにより、薄葉紙積層体２００を収納空間部４０に詰めるための挿入口となる開口部（図示略）が形成されるようになっている。
【００１８】
容器本体１の上面部１０には、略中央に取出口１１が形成されている。
取出口１１は、容器本体１の内部の収納空間部４０に収納された家庭用薄葉紙Ｐを取り出すためのものであって、家庭用薄葉紙Ｐは、取出口１１を通じて、収納空間部４０から引き出され、外部に取り出すことができるようになっている。
なお、図示は省略するが、取出口１１に、当該取出口１１を覆う蓋体を備えることとしても良い。
【００１９】
また、容器本体１の上面部１０には、例えば、取出口１１を挟んで対向するように、略板状の部材で構成された突出部１２ａ、１２ｂが形成され、取出口１１の周縁部が収納空間部４０に向かって突出した状態となっている。
突出部１２ａ、１２ｂは、後述する２つの付勢部材３１、３２により上向きに付勢された薄葉紙積層体２００の上面（一番上の家庭用薄葉紙Ｐ）と取出口１１との間に所定の間隔を設けるためのものであって、使用者が、家庭用薄葉紙Ｐを容易に１枚ずつ取り出すことができるようになっている。
なお、突出部１２ａ、１２ｂの形状は、薄葉紙積層体２００の上面と取出口１１との間に段差（所定の間隔）を設けることが可能な構成であればいかなる形状であってもよく、例えば、取出口１１の周縁部を一様に突出させたものであってもよい。
【００２０】
容器本体１の底部３０には、２つの付勢部材３１、３２が備えられている。
２つの付勢部材３１、３２は、互いに対向するように配置され、例えば、底部３０の長手方向中央であって幅方向両端部に設けられている。即ち、本実施形態では、２つの付勢部材３１、３２は、突出部１２ａ、１２ｂと対向する位置に備えられている。
付勢部材３１、３２は、例えば、上向きに付勢力を有する伸縮可能な空気溜め３１ａ、３２ａと、一端が底部３０に固着され、他端が空気溜め３１ａ、３２ａの先端に固着された板状部材３１ｂ、３２ｂと、を備えている。
【００２１】
この２つの付勢部材３１、３２は、容器本体１の収納空間部４０に収納された薄葉紙積層体２００の収納空間部４０内での高さを一定に保つためのものである。
具体的に、薄葉紙積層体２００を容器本体１の下方から収納空間部４０に詰めた場合、付勢部材３１、３２（板状部材３１ｂ、３２ｂ）の上面が、容器本体１の収納空間部４０に収納された薄葉紙積層体２００の下面の両端部に当接して薄葉紙積層体２００の重みに抗して上向きに付勢するため、薄葉紙積層体２００を好適に支持し、薄葉紙積層体２００の収納空間部４０内での高さが所定の高さとなる。
そして、薄葉紙積層体２００を収納空間部４０に入れた当初、付勢部材３１、３２が薄葉紙積層体２００の重みにより下向きに撓んでおり、家庭用薄葉紙Ｐの使用に応じて薄葉紙積層体２００が軽くなるにつれて、付勢部材３１、３２は薄葉紙積層体２００を徐々に上方へ押し上げることとなり、薄葉紙積層体２００の収納空間部４０内での高さが所定の高さに維持できる。
【００２２】
次に、本実施形態の家庭用薄葉紙収納容器１００の作用について説明する。
使用者は、使用に際して、容器本体１から底部３０を取り外し、薄葉紙積層体２００を収納空間部４０に詰めた後、取り外した底部３０を再び取り付ける。
すると、付勢部材３１、３２は、図３に示すように、その上面が薄葉紙積層体２００の下面の両端部と当接し、薄葉紙積層体２００の重みによって下向きに撓みつつ、上方からの薄葉紙積層体２００の重みに抗して上向きに付勢し、薄葉紙積層体２００を支持した状態となる。
この状態において、家庭用薄葉紙Ｐは、使用者により取出口１１から一枚ずつ引き出されて使用される。
【００２３】
そして、使用するにつれて薄葉紙積層体２００が軽くなっていくと、図４に示すように、薄葉紙積層体２００を収納空間部４０に入れた当初下向きに撓んでいた付勢部材３１、３２が、薄葉紙積層体２００の軽量化に応じて徐々に初期位置へ戻るため、薄葉紙積層体２００が上方に押し上げられることとなる。
また、上方に押し上げられた薄葉紙積層体２００の上面は、取出口１１の周縁部に設けられた突出部１２ａ、１２ｂに当接する。このとき、付勢部材３１、３２からの上向きの付勢力は薄葉紙積層体２００の下面の両端部に加えられており、薄葉紙積層体２００の中央部が取出口１１方向に押し上げられることはないため、薄葉紙積層体２００の上面（一番上の家庭用薄葉紙Ｐ）と取出口１１との間に所定の間隔を設けることができる。即ち、家庭用薄葉紙収納容器１００は、付勢部材３１、３２により上向きに付勢された薄葉紙積層体２００により突出部１２ａ、１２ｂが押圧された場合でも、薄葉紙積層体２００と取出口１１との距離を所定の間隔に保つことができる。
従って、本実施形態の家庭用薄葉紙収納容器１００では、家庭用薄葉紙Ｐの残量に関係なく、取出口１１と、収納空間部４０内の一番上の家庭用薄葉紙Ｐとの距離を一定にすることができるため、家庭用薄葉紙Ｐが取出口１１から内部に落ち込むことがなく、家庭用薄葉紙Ｐを容易に１枚ずつ取り出すことができることとなって、薄葉紙積層体２００の家庭用薄葉紙Ｐの枚数に関係なく、取出口１１からの取り出し易さを一定に保つことができる。
【００２４】
以上のように、本実施形態の家庭用薄葉紙収納容器１００によれば、容器本体１の上面部１０には、収納空間部４０から家庭用薄葉紙Ｐを取り出す取出口１１が形成されるとともに、取出口１１の周縁部から収納空間部４０に向かって突出させた突出部１２ａ、１２ｂが形成され、容器本体１の底部３０には、薄葉紙積層体２００を上向きに付勢する付勢部材３１、３２が備えられ、付勢部材３１、３２により上向きに付勢された薄葉紙積層体２００により突出部１２ａ、１２ｂが押圧された場合でも、薄葉紙積層体２００と取出口１１との距離が所定の間隔に保たれている。
これにより、家庭用薄葉紙Ｐの残量に関係なく、取出口１１と、収納空間部４０内の一番上の家庭用薄葉紙Ｐとの距離を一定にすることができるため、家庭用薄葉紙Ｐが取出口１１から内部に落ち込むことがなく、家庭用薄葉紙Ｐを容易に１枚ずつ取り出すことができることとなって、薄葉紙積層体２００の家庭用薄葉紙Ｐの枚数に関係なく、取出口１１からの取り出し易さを一定に保つことができる。
特に、薄葉紙積層体２００の対向する両端部を上向きに付勢するように付勢部材３１、３２を備えることで、薄葉紙積層体２００の中央部が取出口１１方向に押し上げられることはなくなり、確実に薄葉紙積層体２００の上面（一番上の家庭用薄葉紙Ｐ）と取出口１１との間に所定の間隔を設けることができる。
更に、突出部１２ａ、１２ｂと対向する位置に付勢部材３１、３２を備えることで、薄葉紙積層体２００のうち上向きに付勢された箇所を突出部１２ａ、１２ｂで抑えることができ、より確実に薄葉紙積層体２００の上面（一番上の家庭用薄葉紙Ｐ）と取出口１１との間に所定の間隔を設けることができる。
【００２５】
また、本実施形態の家庭用薄葉紙収納容器１００によれば、付勢部材３１、３２は、上向きに付勢力を有する伸縮可能な空気溜め３１ａ、３２ａと、一端が底部３０に固着され、他端が空気溜め３１ａ、３２ａの先端に固着された板状部材３１ｂ、３２ｂと、を備える。
このように、板状部材３１ｂ、３２ｂを備えたことにより、支持対象の薄葉紙積層体２００との接触面積を確保することができるとともに、空気溜め３１ａ、３２ａを備えたことにより、薄葉紙積層体２００の重みに合わせて柔軟に薄葉紙積層体２００の高さを調節することが可能となる。
【００２６】
以上、本発明に係る実施形態に基づいて具体的に説明したが、本発明は上記実施形態に限定されるものではなく、その要旨を逸脱しない範囲で変更可能である。
【００２７】
例えば、付勢部材３１、３２は、薄葉紙積層体２００の下面の両端部を上向きに付勢できるものであれば良く、その数や形状は特に限定されない。
例えば、上記実施形態では、空気溜め３１ａ、３２ａと板状部材３１ｂ、３２ｂとで構成された２つの付勢部材３１、３２を例示して説明したが、４つの付勢部材を設けることとしても良い。
また、図５に示すように、付勢部材としてＹ字状付勢部材３３を設けることとしても良い。このようなＹ字状付勢部材３３を用いることで、付勢部材の厚みを最小限に抑えることができるので、収納空間部４０のスペースを有効に活用することができるようになる。
【符号の説明】
【００２８】
１００  家庭用薄葉紙収納容器
１  容器本体
１０  上面部
１１  取出口
１２ａ、１２ｂ  突出部
２０ａ〜２０ｄ  側面部
３０  底部
３１、３２  付勢部材
３１ａ、３２ａ  空気溜め
３１ｂ、３２ｂ  板状部材
３３  Ｙ字状付勢部材
４０  収納空間部
２００  薄葉紙積層体
Ｐ  家庭用薄葉紙
【図１】
0005965584.tif 000002
【図２】
0005965584.tif 000003
【図３】
0005965584.tif 000004
【図４】
0005965584.tif 000005
【図５】
0005965584.tif 000006